(57)【特許請求の範囲】
【請求項１】
搬送手段によって搬送された用紙を整合する用紙整合装置において、
用紙を一時的に積載して、用紙後端に当接して用紙搬送方向の整合を行うための基準フェンスを備える一時積載トレイと、
前記一時積載トレイにスタックされた用紙の、用紙搬送方向に平行な両側端に当接することで用紙幅方向の整合を行う、一方側は用紙幅方向に移動可能な一対のサイドフェンスと、
前記一対のサイドフェンスの延設方向の中間部に、回転可能に設けられた一対の回転部材と、
前記回転部材を回転駆動させることが可能な駆動手段と、
一方側の前記サイドフェンスを、一方側の前記回転部材と一体的に用紙幅方向に移動させることが可能な移動装置と、
前記駆動手段と前記移動装置の駆動を制御する制御手段と、
を備え、
前記一時積載トレイ上に用紙が搬送されて前記用紙後端が前記基準フェンスに突き当たると、前記制御手段は、前記駆動手段と前記移動装置の駆動を制御して、
一方側の前記サイドフェンスを一方側の前記回転部材と一体的に用紙幅方向に移動させて、前記一対のサイドフェンスとの間に用紙の用紙搬送方向に平行な両側端を当接させて用紙幅方向の整合を行うとともに、
前記用紙の両側端に当接された前記一対の回転部材を、前記用紙が前記基準フェンス側に向けて搬送力を受けるような方向に回転させて、前記用紙後端の全体を前記基準フェンスに当接させて用紙搬送方向の整合を行うことを特徴とする用紙整合装置。
【請求項２】
請求項１に記載の用紙整合装置において、前記制御手段は、前記一時積載トレイ上に搬送された用紙に前記回転部材による搬送方向の整合を行っている途中で、前記一時積載トレイに次用紙が搬送されてきた場合、先行する用紙の搬送方向の整合を中断して、前記サイドフェンスを用紙受入れ可能な位置に移動させることを特徴とする用紙整合装置。
【請求項３】
請求項１または２に記載の用紙整合装置において、前記制御手段は、前記回転部材による用紙搬送方向の整合を終えた後も、次用紙の受入れ直前まで前記サイドフェンスが用紙に当接した状態を維持させることを特徴とする用紙整合装置。
【請求項４】
請求項３に記載の用紙整合装置において、前記制御手段は、前記回転部材による用紙搬送方向の整合を終えた後、次用紙の受入れまでの時間間隔が長くなった場合、前記駆動手段を停止させることを特徴とする用紙整合装置。
【請求項５】
請求項２〜４のいずれか一つに記載の用紙整合装置において、前記回転部材は、少なくとも外周層は弾性素材からなることを特徴とする用紙整合装置。
【請求項６】
請求項２〜５のいずれか一つに記載の用紙整合装置を備えることを特徴とする用紙後処理装置。
【請求項７】
請求項６に記載の用紙後処理装置を備えることを特徴とする画像形成システム。
【発明の詳細な説明】
【技術分野】
【０００１】
本発明は、複写機、プリンタ、ファクシミリ装置などの画像形成装置から排紙される記録紙などの用紙を排紙方向（搬送方向）及び排紙方向と直交する横方向に整合させる用紙整合装置、この整合された用紙に対して折り、仕分け、綴じ、穴あけなどの処理を選択的に実行させる用紙後処理装置及び画像形成システムに関する。
【背景技術】
【０００２】
従来、プリンタや複写機などの画像形成装置においては、排紙側に機械的かつ電気的に装着され、画像形成後の用紙に対して折り、仕分け（ソート）、綴じ（ステイプル）、穴あけ（パンチ）などの後処理を行なう用紙後処理装置（フィニッシャー）を設けたものがある。
【０００３】
この用紙後処理装置としては、複数枚の用紙を画像形成装置から一時積載トレイ上に一定時間毎に排紙（放出）させて、この排紙される用紙を一時積載トレイ上で用紙整合手段により用紙搬送方向および用紙幅方向（用紙搬送方向と直行する方向）に整合させた後、一時積載トレイ上で整合された複数枚の用紙を綴じ処理などの所定の後処理をして、綴じ処理などを施された複数枚の用紙を一時積載トレイ上から排紙トレイ上に排出するようにしたものが知られている。
【０００４】
この用紙後処理装置では、一時積載トレイに排紙（放出）された用紙の上面に回転部材を当接させて、この回転部材により排紙された用紙を排紙（放出）方向とは逆に向かって移動させると共に、この用紙を一時積載トレイの後部に設置された基準フェンスに突き当てることにより、用紙搬送方向の整合処理を行っている（例えば、特許文献１参照）。
【発明の概要】
【発明が解決しようとする課題】
【０００５】
しかしながら、従来の用紙後処理装置では、回転部材が上から用紙の上面に当接されられるため、一時積載トレイ上にスタックされた用紙の整合状態を崩さない目的で、回転部材を常時回転させ続けた場合、回転部材が紙面を傷つけ、印刷されている画像を削ってしまうという問題があった。
【０００６】
また、従来の用紙後処理装置では、用紙搬送方向の整合を行う際に用いられる回転部材は、一時積載トレイにスタックされた一番上の用紙に対してのみ整合を行うため、この整合を行っている用紙より以前に搬送された用紙が横方向に傾いた場合や放出方向にズレたりした場合に、この傾きやズレを補正することができず、スタック不良となってしまう問題があった。
【０００７】
本発明は、用紙の印刷面を傷つけることなく、かつ精度よく用紙搬送方向の整合を行える用紙整合装置、用紙後処理装置及び画像形成システムを提供することを目的とする。
【課題を解決するための手段】
【０００８】
上記課題を解決するため、請求項１に係る発明は、搬送手段によって搬送された用紙を整合する用紙整合装置において、用紙を一時的に積載して、用紙後端に当接して用紙搬送方向の整合を行うための基準フェンスを備える一時積載トレイと、前記一時積載トレイにスタックされた用紙の、用紙搬送方向に平行な両側端に当接することで用紙幅方向の整合を行う、一方側は用紙幅方向に移動可能な一対のサイドフェンスと、前記一対のサイドフェンスの延設方向の中間部に、回転可能に設けられた一対の回転部材と、前記回転部材を回転駆動させることが可能な駆動手段と、一方側の前記サイドフェンスを、一方側の前記回転部材と一体的に用紙幅方向に移動させることが可能な移動装置と、前記駆動手段と前記移動装置の駆動を制御する制御手段と、を備え、前記一時積載トレイ上に用紙が搬送されて前記用紙後端が前記基準フェンスに突き当たると、前記制御手段は、前記駆動手段と前記移動装置の駆動を制御して、一方側の前記サイドフェンスを一方側の前記回転部材と一体的に用紙幅方向に移動させて、前記一対のサイドフェンスとの間に用紙の用紙搬送方向に平行な両側端を当接させて用紙幅方向の整合を行うとともに、前記用紙の両側端に当接された前記一対の回転部材を、前記用紙が前記基準フェンス側に向けて搬送力を受けるような方向に回転させて、前記用紙後端の全体を前記基準フェンスに当接させて用紙搬送方向の整合を行うことを特徴としている。
【０００９】
また、請求項２の発明は、請求項１に記載の用紙整合装置において、前記制御手段は、前記一時積載トレイ上に搬送された用紙に前記回転部材による搬送方向の整合を行っている途中で、前記一時積載トレイに次用紙が搬送されてきた場合、先行する用紙の搬送方向の整合を中断して、前記サイドフェンスを用紙受入れ可能な位置に移動させることを特徴とする。
【００１０】
更に、請求項３の発明は、請求項１または２に記載の用紙整合装置において、前記制御手段は、前記回転部材による用紙搬送方向の整合を終えた後も、次用紙の受入れ直前まで前記サイドフェンスが用紙に当接した状態を維持させることを特徴とする用紙整合装置。
【００１１】
また、請求項４の発明は、請求項３に記載の用紙整合装置において、前記制御手段は、前記回転部材による用紙搬送方向の整合を終えた後、次用紙の受入れまでの時間間隔が長くなった場合、前記駆動手段を停止させることを特徴とする。
【００１２】
また、請求項５の発明は、請求項２〜４のいずれか一つに記載の用紙整合装置において、前記回転部材は、少なくとも外周層は弾性素材からなることを特徴とする。
【００１３】
また、請求項６の発明は、請求項２〜５のいずれか一つに記載の用紙整合装置を備える用紙後処理装置としたことを特徴とする。
【００１４】
請求項７の発明は、請求項６に記載の用紙後処理装置を備える画像形成システムとしたことを特徴とする。
【発明の効果】
【００１５】
請求項１の発明によれば、一時積載トレイに積載された全ての用紙について、用紙の傾きや放出方向へのズレをなくし、画像削れを発生させることなく用紙搬送方向の整合を行うことができる。
【００１６】
請求項２の発明によれば、用紙束を一時積載トレイに積載する時間が短縮され、生産性が向上する。
【００１７】
請求項３の発明によれば、用紙幅方向の整合状態が維持されるため、用紙の傾きを生じることがなく、整合性を保つことができる。
【００１８】
請求項４の発明によれば、停止中に用紙の整合が乱れても、次用紙受入れ時に整合されるため、整合性を保ちながら消費電力を低減できる。
【００１９】
請求項５の発明によれば、前記回転部材としてゴムローラやスポンジコロを用いることにより、前記回転部材を用紙に当接させたときに回転部材が弾性変形することで衝撃を緩和でき、用紙側端の損傷や、用紙のたわみによるズレを抑止できる。
【００２０】
請求項６の発明によれば、印刷された画像の削れを発生させることなく用紙に後処理を施すことが可能な用紙後処理装置を構成できる。
【００２１】
請求項７の発明によれば、印刷された画像の削れを発生させることなく用紙に後処理を施すことが可能な画像形成システムを構成できる。
【図面の簡単な説明】
【００２２】
【図１】本発明の画像処理システムのシステム構成を概略的に示した概略説明図である。
【図１Ａ】図１に示した画像処理システムの制御回路図である。
【図２】図１に示した用紙後処理装置の拡大説明図である。
【図２Ａ】図２に示した用紙整合装置の概略平面配置図である。
【図２Ｂ】図２ＡのＡ１−Ａ１線に沿う断面図である。
【図２Ｃ】図２Ａ，図２Ｂに示したジョガーフェンス及び戻しコロと用紙との関係を示す部分斜視図である。
【図３】（Ａ）〜（Ｅ）は、図２の用紙整合装置による用紙後処理を図２Ａのような概略平面配置を用いて説明する作用説明図である。
【図４】図３の用紙後処理のフローチャートである。
【図５】（Ａ）〜（Ｆ）は、図２の用紙整合装置による用紙後処理を図２Ａのような概略平面配置を用いて説明する他の作用説明図である。
【図６】図５の用紙後処理のフローチャートである。
【図７】用紙後処理の他の例を示すフローチャートである。
【図８】用紙後処理の更に他の例を示すフローチャートである。
【発明を実施するための形態】
【００２３】
以下、本発明に係る用紙後処理装置、この用紙後処理装置を備える用紙整合装置及びこの用紙整合装置を備える画像処理システムの実施の形態を図面に基づいて説明する。
【実施例１】
【００２４】
図１は、本発明の実施形態に係る画像処理システムのシステム構成の概略を示す図である。
【００２５】
この用紙整合装置および画像処理システムに用いられる用紙後処理装置おいては、用紙幅方向の整合を行うサイドフェンス（後述）に、駆動源により駆動される回転部材を取付けてあり、用紙幅方向の整合を行うためサイドフェンスを用紙側端に当接したとき、回転部材（後述）も用紙と当接するようになっている。このとき回転部材を基準フェンス（後述）方向に回転させることで、スタックされた用紙束は基準フェンス側に向かって搬送力を受けるため、用紙が基準フェンス（後述）に突き当てられ、用紙搬送方向の整合処理が行われる。印刷面に回転部材を当接させることなく、スタックされている全ての用紙について搬送方向の整合処理を行うようになっている。
[構成]
＜全体概略構成＞
図１において、本実施形態に係る画像形成システムは画像形成装置１００、用紙後処理装置２００、及び画像読み取り装置３００から構成されている。
（画像形成装置１００）
この画像形成装置１００は、間接転写方式のタンデム型カラー画像形成装置であり、図においてほぼ中央部に配置された作像部１１０と、この作像部１１０の下方に設けられた給紙部１２０と、給紙部１２０でピックアップされた用紙を２次転写部１４０及び定着部１５０に順に搬送する給紙搬送路（縦搬送路）１３０と、画像が定着された用紙を用紙後処理装置２００側に搬送する排紙経路としての排紙搬送路１６０と、一面に画像が形成された用紙を反転し、他面に画像形成させるための両面搬送路１７０を備えている。
・作像部１１０
この作像部１１０は、４色[Ｙ（イエロー），Ｍ（マゼンタ），Ｃ（シアン），Ｋ（黒）]の画像を作像させる作像ステーション１１１と、作像ステーション１１１の下側に配置された光書き込み部（詳細図示せず）７と、作像ステーション１１１の上側に配置された中間転写ベルト１１２を有する。尚、１１６Ｙ，１１６Ｍ，１１６Ｃ，１１６Ｋは、各色Ｙ，Ｍ，Ｃ，Ｋのトナー容器（トナーボトル）である。
（作像ステーション１１１）
この作像ステーション１１１は、イエロー（Ｙ）の作像ステーション１１１Ｙ，マゼンタ（Ｍ）の作像ステーション１１１Ｍ，シアン（Ｃ）の作像ステーション１１１Ｃ，黒（Ｋ）作像ステーション１１１Ｋを有する。この４つの作像ステーション１１１Ｙ，１１１Ｍ，１１１Ｃ，１１１Ｋは、用いるトナー色が異なるのみで、構成は同じである。したがって、作像ステーション１１１Ｙについて概略的に説明し、作像ステーション１１１Ｍ，１１１Ｃ，１１１Ｋについては、作像ステーション１１１Ｙの「Ｙ」を「Ｍ，Ｃ，Ｋ」に変えた符号を付して説明を省略する。
【００２６】
作像ステーション１１１Ｙは、感光体ドラム（感光体）１Ｙを有する。また、作像ステーション１１１Ｙは、感光体ドラム１Ｙの外周に沿って順に配置された帯電ユニット（符号省略）、現像ユニット（符号省略）、除電ユニット（図示せず）、クリーニングユニット（符号省略）を有する。また、作像ステーション１１１Ｙは、現像ユニット（符号省略）で感光体ドラム１Ｙに現像された画像を中間転写ベルト１１２に転写させる図示しない転写ローラ（転写ユニット）を有する。
（光書き込み部７，中間転写ベルト１１２）
この光書き込み部（詳細図示せず）７は、作像ステーション１１１Ｙ，１１１Ｍ，１１１Ｃ，１１１Ｋに各色毎に画像を書き込む光書き込みユニット（図示せず）を備えている。
【００２７】
中間転写ベルト１１２は複数の支持ローラ（一部符号省略）によって回転可能に支持されている。この複数の支持ローラのうちの１つの支持ローラ１１４は、２次転写部１４０において中間転写ベルト１１２を介して２次転写ローラ１１５と対向し、中間転写ベルト１１２上の画像を用紙に２次転写できるようになっている。
・給紙部１２０
この給紙部１２０は給紙トレイ１２１、ピックアップローラ１２２、給紙搬送ローラ１２３を備え、給紙トレイ１２１からピックアップした用紙を縦搬送路１３０に沿って上方に送り出す。送り出された用紙は２次転写部１４０で画像が転写され、定着部１５０に送られる。定着部１５０は定着ローラと加圧ローラを備え、用紙が両者間のニップを通過する過程で、加熱及び加圧が行われ、トナーが用紙に定着される。
【００２８】
定着部１５０の下流には、排紙搬送路１６０と両面搬送路１７０が設けられ、両者は分岐爪１６１によって２方向に分岐し、用紙後処理装置２００側に搬送される場合と、両面搬送路１７０に搬送される場合とで搬送路が選択される。なお、分岐爪１６１の用紙搬送方向上流側の直近には分岐搬送ローラ１６２が設けられ、用紙へ搬送力を付与している。
【００２９】
なお、間接転写方式のタンデム型カラー画像形成装置の画像形成プロセスは公知であり、画像形成装置１００や画像読み取り装置３００は本発明の要旨とは直接関係しないので、画像形成装置１００や画像読み取り装置３００の詳細な説明は省略する。
＜用紙後処理装置２００の概略構成＞
図２は、用紙後処理装置２００の概略構成を示す図である。
【００３０】
この用紙後処理装置２００は、画像形成装置１００の排紙搬送路１６０から排紙される用紙を受入れて搬送する搬送手段としての排紙搬送装置（排紙搬送部）Ａと、この排紙搬送装置Ａから排出される用紙を一時的にスタックさせて移動方向（前後方向）および移動方向と直交する幅方向に整合させる用紙整合装置（用紙整合処理部）Ｂと、この用紙整合装置Ｂから排出される用紙をスタックさせる排紙トレイ２０３を有する。
（排紙搬送装置Ａ）
この排紙搬送装置Ａは、入口ローラ対２０１、排紙搬送路２０２、シフト搬送ローラ対としてのシフト排紙ローラ対２０４を有する。この入口ローラ対２０１は、排紙搬送路２０２の用紙搬送方向の上流端部に設けられていて、画像形成装置１００の排紙搬送路１６０から排紙される用紙を排紙搬送路２０２に上流端から供給する。シフト排紙ローラ対２０４は、排紙搬送路２０２の紙搬送方向の下流端部に設けられていて、排紙搬送路２０２内を搬送される用紙を用紙整合装置Ｂ側に排出させる。
【００３１】
入口ローラ対２０１とシフト排紙ローラ対２０４は、入口モータ２１６によりベルト２１６ａを介して回転駆動されるようになっている。また、排紙搬送路２０２には用紙の先端と後端の検知をさせる入口センサ２０７が配置されている。この入口センサ２０７からの用紙の先端検知信号と後端検知信号は、図１Ａに示した制御手段としての演算制御回路（制御装置）２３０に入力されるようになっている。この制御手段としての演算制御回路２３０は、入口センサ２０７から入力される用紙の先端検知信号と後端検知信号に基づいて、ステッピングモータである入口モータ２１６と後述の排紙モータ２１７の駆動ステップ数を制御して、排紙搬送路２０２における用紙の受け入れ及び排出処理を行う際のタイミングをとっている。
【００３２】
なお、排紙搬送路２０２に沿って設けられた入口ローラ対２０１及びシフト排紙ローラ対２０４が搬送手段として機能する。
（用紙整合装置Ｂ）
この用紙整合装置Ｂは、一時積載トレイとしてのスティプルトレイ２１９と、このスティプルトレイ２１９の用紙搬送方向とは反対側の端部に臨ませて配置された基準フェンス２２０と、排紙搬送路２０２からシフト排紙ローラ対２０４によりスティプルトレイ２１９上に排紙されてスタックされる用紙を搬送方向に対して移動させる叩き装置Ｂ１を有する。尚、スティプルトレイ２１９は、叩き装置Ｂ１およびシフト排紙ローラ対２０４の下方に配設されている。
【００３３】
この叩き装置Ｂ１は、用紙搬送方向に向けられたレバー２１１ａと、レバー２１１ａを用紙搬送方向とは反対側の一端部で上下回動可能に支持する支持軸２１１ｂと、レバー２１１ａの他端部に回転自在に取り付けられた叩きコロ２１１を有する。このレバー２１１ａは、図１Ａのステッピングモータ等の上下回動駆動装置Ｍ１（図2では図示せず)により上下方向に回動駆動されるようになっている。このレバー２１１ａの上下回動や叩きコロ２１１の回転構造は特開２００５−１９４０９２号公報に開示された周知の構成を採用できるので、その詳細な説明は省略する。
【００３４】
ここで、叩きコロ２１１の回転駆動は、排紙ローラ２０６を回転駆動する排紙モータ２１７によって行われる。
【００３５】
また、用紙整合装置Ｂは、図２Ａに示したように、スティプルトレイ２１９の一側部に配設されたサイドフェンスとしてのジョガーフェンス２１２ａ(図２Ａ，図２Ｃ参照）と、スティプルトレイ２１９の他側部に配設されたサイドフェンスとしての固定フェンス２１２ｂを有する。このジョガーフェンス２１２ａ及び固定フェンス２１２ｂは用紙搬送方向に向けて延びており、ジョガーフェンス２１２ａは固定フェンス２１２ｂより基準フェンス２２０側に長く延設されている。
【００３６】
ジョガーフェンス２１２ａおよび固定フェンス２１２ｂの延設方向の中間部には、図２Ａに示したように、戻しコロＲ１，Ｒ２がそれぞれ設けられている。この戻しコロＲ１，Ｒ２は、用紙搬送方向において同位置に設けられている。この戻しコロＲ１は、図２Ａ〜図２Ｃに示したように、ローラ軸Ｒ１ｓと、ローラ軸Ｒ１ｓの周面に固着された筒状のスポンジゴム性の弾性ローラＥｓ１を有する。また、戻しコロＲ２は、図２Ａ，図２Ｂに示したように、ローラ軸Ｒ２ｓと、ローラ軸Ｒ２ｓの周面に固着された筒状のスポンジゴム性の弾性ローラＥｓ２を有する。
【００３７】
そして、ローラ軸Ｒ１ｓおよびＲ２ｓは図２Ｂに示したようにステッピングモータ等の第１ローラ回転駆動装置ＲＭ１および第２ローラ回転駆動装置ＲＭ２によりそれぞれ回転駆動されるようになっている。また、ジョガーフェンス２１２ａ，戻しコロＲ１，第１ローラ回転駆動装置ＲＭ１等は、図示を省略したスライド部材に保持されていて、このスライド部材はステッピングモータ等の駆動装置やギヤ，ラックギヤ等を用いたジョガー移動装置ＪＦｄにより固定フェンス２１２ｂに対して進退駆動されるようになっている。
【００３８】
また、用紙整合装置Ｂは、図２に示したように、排紙モータ２１７により回転駆動される排紙ローラ２０５と、整合処理された用紙を排出させて排紙トレイ２０３にスタックさせる排紙ローラ２０６と、スティプルトレイ２１９の用紙排出端側に設けられた排紙センサ２１０と、スティプルトレイ２１９とジョガーフェンス２１２ａとの間に配設された紙有無センサ２１３を有する。
【００３９】
この排紙センサ２１０の検出信号及び紙有無センサ２１３の検出信号は、図１Ａに示した制御手段としての演算制御回路２３０に入力されるようになっている。また、演算制御回路２３０は、上下回動駆動装置Ｍ１，排紙モータ２１７，第１ローラ回転駆動装置ＲＭ１，第２ローラ回転駆動装置ＲＭ２，ジョガー移動装置ＪＦｄを作動制御するようになっている。
[作用]
次に、このような構成の画像処理システムの演算制御回路２３０による用紙後処理を図３の作用説明図及び図４のフローチャートに基づいて説明する。
【００４０】
図３は用紙後処理装置の用紙受入れ・整合処理の作用説明図、図４は用紙受入れ・整合処理の流れを示したフローチャートである。尚、図３では、スティプルモードで使用する、一時積載トレイとしてのスティプルトレイ２１９、スティプラ２１５およびその周辺の主要な構成と動作を示している。このスティプルモードは、用紙を排紙する際に所定枚数毎にスティプラ２１５によって綴じて、排紙するモードである。
【００４１】
演算制御回路２３０は、画像形成装置１００からの用紙Ｐが排紙搬送路２０２側に供給される際、入口モータ２１６を駆動パルスにより駆動制御して回転駆動させる。
【００４２】
一方、スティプルモードにおいて演算制御回路２３０は、画像形成装置１００から用紙Ｐを排紙搬送路２０２へ受入れる用紙受入れ時に、上下回動駆動装置Ｍ１を作動制御して、叩きコロ２１１を図2の実線で示したようにスティプルトレイ２１９の上方の退避位置に退避させる。この際、演算制御回路２３０は、叩きコロ２１１が図2の破線で示した位置まで降下させられてスティプルトレイ２１９上に供給される用紙Ｐに接触させられたときに、用紙Ｐを用紙搬送方向と逆方向に移動させることができるように、排紙モータ２１７を作動制御して叩きコロ２１１を図２中反時計回り方向(図２，図３（Ｂ）では矢印Ａｒ１方向）に回転駆動する。
【００４３】
このような状態において演算制御回路２３０は、用紙受入れ時に、図３（Ａ）のように予めサイドフェンスとしてのジョガーフェンス２１２ａを用紙受入れ位置に退避させておいた状態（Ｓ５０１）で、画像形成装置１００から排出される用紙Ｐを入口ローラ対２０１により排紙搬送路２０２に受入れる（Ｓ５０２）。
【００４４】
これに伴いシフト排紙ローラ対２０４は排紙搬送路２０２に受け入れられた用紙Ｐをジョガーフェンス２１２ａと固定フェンス２１２ｂとの間に位置させてスティプルトレイ２１９上に排出させる。この際、演算制御回路２３０は、入口センサ２０７からの用紙先端検知信号および用紙後端検知信号と排紙モータ２１７の駆動パルス数等から、用紙後端がシフト排紙ローラ対２０４を通過するタイミングを演算して、用紙後端がシフト排紙ローラ対２０４を通過したタイミングを判断する（Ｓ５０３）。そして、演算制御回路２３０は、用紙後端がシフト排紙ローラ対２０４を通過したと判断したときに、叩きコロ２１１を図２の破線で示した位置に下降させ、用紙Ｐを叩きコロ２１１で図３（Ｂ）のようにスティプルトレイ２１９に押し付ける（Ｓ５０４）。これにより、スティプルトレイ２１９に押し付けられた用紙Ｐは、回転する叩きコロ２１１により矢印Ａｒ２で示したように用紙後端が基準フェンス２２０に突き当たるまでスイッチバックさせられる。尚、ここで、叩きコロ２１１の回転駆動は、排紙モータ２１７によって行われ、排紙ローラ２０６と同一駆動である。
【００４５】
この際、演算制御回路２３０は、サイドフェンスとしてのジョガーフェンス２１２ａを用紙Ｐのスイッチバックが完了するまで（用紙Ｐが基準フェンス２２０に突き当たるまで）の搬送中の用紙Ｐと接触しない位置で待機させて、待機中は用紙Ｐのスイッチバックが完了か否かを判断する（Ｓ５０５）。そして、演算制御回路２３０は、用紙Ｐのスイッチバックが完了したと判断すると、図２の叩きコロ２１１を破線の位置から実線の位置まで上昇させる（Ｓ５０６）。この後演算制御回路２３０は、ジョガー移動装置ＪＦｄを作動制御して、ジョガーフェンス２１２ａ及び戻しコロＲ１を図３（Ｃ）のように破線の位置から実線の位置まで固定フェンス２１２ｂ側に矢印Ａｒ３のように一体に移動させて、ジョガーフェンス２１２ａと固定フェンス２１２ｂとの間で用紙Ｐの基準フェンス２２０側の端部を側方から挟み込ませる（Ｓ５０７）。尚、用紙Ｐの用紙サイズは画像形成装置１００により画像を形成する前に演算制御回路２３０により検出されているので、この用紙Ｐの幅方向サイズに基づいて、ジョガーフェンス２１２ａと固定フェンス２１２ｂとの間隔が用紙Ｐのサイズの幅方向サイズとなるように、ジョガーフェンス２１２ａ及び戻しコロＲ１が固定フェンス２１２ｂ側に移動させられる。
【００４６】
これに伴い用紙Ｐの基準フェンス２２０側の端部の側縁には、ジョガーフェンス２１２ａの回転する戻しコロＲ１と固定フェンス２１２ｂの回転する戻しコロＲ２の弾性ローラＥｓ１，Ｅｓ２が用紙Ｐの側縁部を撓めない程度の弱い弾性力で当接させられる。そして、図３（Ｄ）のように矢印Ａｒ４，Ａｒ５の方向に互いに反対方向に回転する戻しコロＲ１，Ｒ２は、矢印Ａｒ６で示した方向（基準フェンス２２０側）に移動させて、用紙Ｐを基準位置に揃えて整合させる処理を開始する（Ｓ５０８）。
【００４７】
そして、用紙Ｐの基準フェンス２２０側の端縁全体が基準フェンス２２０に当接させられたときに、戻しコロＲ１，Ｒ２の弾性ローラＥｓ１，Ｅｓ２が用紙Ｐの基準フェンス２２０側の側縁に対してスリップし、用紙の整合が完了（S５０９、Ｓ５１０）する。この整合完了タイミングは、戻しコロＲ１，Ｒ２の回転時間等から求めることができる。
【００４８】
この用紙の整合が完了すると演算制御回路２３０は、図３（Ｅ）の通り、ジョガー移動装置ＪＦｄを作動制御して、ジョガーフェンス２１２ａ及び戻しコロＲ１を破線の位置から実線の位置まで固定フェンス２１２ｂとは反対方向（矢印Ａｒ７）のように一体に移動させて、次用紙の受入れに備えて用紙と接触しない位置まで退避する（Ｓ５１１）。
【００４９】
そして、演算制御回路２３０は、次の用紙があるか否かを画像形成装置１００の画像形成処理状態又は画像処理指定枚数等から判断（Ｓ５１２）する。
【００５０】
以降、次用紙の受入れに伴う用紙の整合・退避をＳ５０１〜Ｓ５１２のように繰り返し、次の用紙がない場合や、全ての用紙を受入れたら戻しコロを停止する（Ｓ５１３）。
【００５１】
尚、２枚目以降の用紙について、戻しコロＲ１，Ｒ２による用紙搬送方向の整合処理を行うとき、図２Ｂの通り戻しコロＲ１の弾性ローラＥｓ１，戻しコロＲ２の弾性ローラＥｓ２はスタックされているすべての用紙側端に当接している。そのため、スティプルトレイ２１９に送られてきた最終用紙（一番上の用紙）以外についても、基準フェンス２２０に突き当てて、整合処理を行うことになる。
【００５２】
そして、用紙の後端の一側の端面は、スティプラ２１５の綴じ針の打ち込み位置まで挿入され、指定枚数の用紙の搬送動作、スイッチバック動作、及び整合処理が完了した後、綴じ処理される。
【００５３】
したがって、本実施例では、スティプルトレイ２１９に複数枚の用紙が順次積載される際に、用紙の傾きや搬送方向へのズレが発生した場合でも、積載された複数枚の用紙の全てについて戻しコロＲ１，Ｒ２が問題なく整合処理を完了できる。
【実施例２】
【００５４】
図５は用紙後処理装置の用紙受入れ・整合処理の実施例２を説明する説明図、図６は実施例２の用紙後処理装置の用紙受入れ・整合処理を示すフローチャートである。尚、図５はスティプルモードで使用する、一時積載トレイとしてのスティプルトレイ２１９、スティプラ２１５およびその周辺の主要な構成と動作を示したものである。
【００５５】
この実施例２においても演算制御回路２３０は、実施例１と同様に、画像形成装置１００からの用紙Ｐが排紙搬送路２０２側に供給される際、入口モータ２１６を駆動パルスにより駆動制御して回転駆動させる。この入口モータ２１６は、回転駆動されることにより、画像形成装置１００から供給される用紙Ｐを排紙搬送路２０２内に引き込んで受け入れるようになっている。
【００５６】
このような用紙受入れ時に演算制御回路２３０は、図２Ｂのジョガー移動装置ＪＦｄを作動制御して、図５（Ａ）のようにジョガー移動装置ＪＦｄにより予めサイドフェンスとしてのジョガーフェンス２１２ａを用紙受入れ位置に退避させた状態（Ｓ６０１）にしている。
【００５７】
一方、演算制御回路２３０は、画像形成装置１００から用紙Ｐを排紙搬送路２０２へ受入れる用紙受入れ時に、図１Ａの上下回動駆動装置Ｍ１を作動制御して叩きコロ２１１を図２の実線で示したようにスティプルトレイ２１９の上方の退避位置に退避させている。この退避時に演算制御回路２３０は、叩きコロ２１１が図２の破線で示した位置まで降下させられたときに、スティプルトレイ２１９上に供給される用紙Ｐに接触させられて、用紙Ｐを用紙搬送方向と逆方向に移動させることができるように、排紙モータ２１７を作動制御して叩きコロ２１１を図２中反時計回り方向(図２，図５（Ａ）では矢印Ａｒ１方向）に回転駆動している。
【００５８】
この状態で画像形成装置１００から用紙Ｐが排出されると、排出される用紙Ｐは回転駆動されている入口ローラ対２０１により排紙搬送路２０２内に引き込まれて受け入れられる（Ｓ６０２）。この用紙Ｐが排紙搬送路２０２内に受入れられると、入口センサ２０７が用紙Pの先端部を検出して用紙検出信号を演算制御回路２３０に入力する。
【００５９】
これに伴いシフト排紙ローラ対２０４は排紙搬送路２０２に受け入れられた用紙Ｐをジョガーフェンス２１２ａと固定フェンス２１２ｂとの間に位置させてスティプルトレイ２１９上に排出させる。
【００６０】
この際、演算制御回路２３０は、入口センサ２０７からの用紙先端検知信号および用紙後端検知信号と入り口モータ２１６の駆動パルス数等から、用紙後端がシフト排紙ローラ対２０４を通過するタイミングを演算して、用紙後端がシフト排紙ローラ対２０４を通過したタイミングを判断する（Ｓ６０３）。
【００６１】
そして、演算制御回路２３０は、演算した用紙通過のタイミングに基づき用紙後端がシフト排紙ローラ対２０４を通過したと判断して、叩きコロ２１１を図２の破線で示した位置に下降させ、用紙Ｐを叩きコロ２１１で図２の破線のようにスティプルトレイ２１９に押し付ける（Ｓ６０４）。
【００６２】
これにより、スティプルトレイ２１９に押し付けられた用紙Ｐは、回転する叩きコロ２１１により矢印Ａｒ２で示したように用紙後端が基準フェンス２２０に突き当たるまでスイッチバックさせられる。尚、ここで、叩きコロ２１１の回転駆動は、排紙モータ２１７によって行われ、排紙ローラ２０６と同一駆動である。
【００６３】
この際、演算制御回路２３０は、サイドフェンスとしてのジョガーフェンス２１２ａを用紙Ｐのスイッチバックが完了するまで（用紙Ｐが基準フェンス２２０に突き当たるまで）の搬送中の用紙Ｐと接触しない位置で待機させて、待機中は用紙Ｐのスイッチバックが完了か否かを判断する（Ｓ６０５）。
【００６４】
演算制御回路２３０は、用紙Ｐのスイッチバックが完了したと判断すると、図２の叩きコロ２１１を破線の位置から実線の位置まで上昇させる（Ｓ６０６）。
【００６５】
この後、演算制御回路２３０は、ジョガー移動装置ＪＦｄを作動制御して、ジョガーフェンス２１２ａ及び戻しコロＲ１を図５（Ｂ）の矢印Ａｒ７のように破線の位置から実線の位置まで固定フェンス２１２ｂ側に一体に移動させることにより、用紙Ｐをジョガーフェンス２１２ａ及び戻しコロＲ１により矢印Ａｒ３のように固定フェンス２１２ｂ側に移動させて、固定フェンス２１２ｂとの間で用紙Ｐの基準フェンス２２０側の端部を側方から挟み込ませる（Ｓ６０７）。
【００６６】
尚、用紙Ｐの用紙サイズは画像形成装置１００により画像を形成する前に演算制御回路２３０により検出されているので、この用紙Ｐの幅方向サイズに基づいて、ジョガーフェンス２１２ａと固定フェンス２１２ｂとの間隔が用紙Ｐのサイズの幅方向サイズとなるように、ジョガーフェンス２１２ａ及び戻しコロＲ１が固定フェンス２１２ｂ側に移動させられる。
【００６７】
これに伴い用紙Ｐの基準フェンス２２０側の端部の側縁には、ジョガーフェンス２１２ａの回転する戻しコロＲ１と固定フェンス２１２ｂの回転する戻しコロＲ２の弾性ローラＥｓ１，Ｅｓ２が用紙Ｐの側縁部を撓めない程度の弱い弾性力で当接させられる。この際、演算制御回路２３０は、第１ローラ回転駆動装置ＲＭ１を作動制御して戻しコロＲ１を第１ローラ回転駆動装置ＲＭ１で図５（Ｃ）の矢印Ａｒ５で示したように反時計回り方向に回転させ、第２ローラ回転駆動装置ＲＭ２を作動制御して戻しコロＲ２を第２回転駆動装置ＲＭ２で図５（Ｃ）の矢印Ａｒ４で示したように時計回り方向に回転させる。これにより戻しコロＲ１，Ｒ２は、互いに反対方向に回転させられて、用紙Ｐを矢印Ａｒ６示したように基準フェンス２２０側に移動させ、この用紙Ｐを基準フェンス２２０に当接させて、用紙Ｐを基準位置に揃えて整合させる処理を開始させる（Ｓ６０８）。
【００６８】
そして、用紙Ｐの基準フェンス２２０側の端縁全体が基準フェンス２２０に当接させられたときに、戻しコロＲ１，Ｒ２の弾性ローラＥｓ１，Ｅｓ２が用紙Ｐの基準フェンス２２０側の側縁に対してスリップし、用紙の整合が完了（S６０９）する。この整合完了タイミングは、戻しコロＲ１，Ｒ２の回転時間等から求めることができる。
【００６９】
このような用紙の整合が完了（S６０９）後に演算制御回路２３０は、次の用紙が画像形成装置１００から排紙搬送路２０２に受け入れられたか否かを入口センサ２０７の用紙先端検出信号から判断し（Ｓ６１０）、次の用紙が来ている場合、叩きコロ２１１を用紙と接触しない位置に退避させた後、Ｓ６０１に戻る。尚、この場合、演算制御回路２３０は、画像形成装置１００から排紙搬送路２０２に受け入れられた用紙Ｐが最終紙で無い場合で、戻しコロＲ１，Ｒ２による用紙（Ｐ）について用紙搬送方向の整合が完了していない場合でも、叩きコロ２１１を用紙と接触しない位置に退避させた後、Ｓ６０１に戻る。
【００７０】
また、演算制御回路２３０は、Ｓ６１０において次の用紙が画像形成装置１００から排紙搬送路２０２に受け入れられていないと判断した場合、次の用紙があるか否かを画像形成装置１００の画像形成処理状態又は画像処理指定枚数等から判断し（Ｓ６１１）、次の用紙が画像形成装置１００から排紙搬送路２０２に受け入れられている場合、Ｓ６１０からＳ６０１に戻る。
【００７１】
これに伴い演算制御回路２３０は、ジョガーフェンス２１２ａを図５（Ｄ）の破線の位置から実線の位置まで矢印Ａｒ８で示したように用紙Ｐから離反する方向に移動させて、画像形成装置１００から搬送されてきた次用紙を図２の入口ローラ対２０１により排紙搬送路２０２に受入れることができる。しかし、演算制御回路２３０は、実際には、サイドフェンスとしてのジョガーフェンス２１２ａを、図５（Ｄ）の実線のようにすぐには用紙受入れ位置に移動せず、図５（Ｅ）の状態で次の用紙Ｐ２が画像形成装置１００から排紙搬送路２０２に受け入れられてスティプルトレイ２１９上に送られるまで待機させる。
【００７２】
この状態で、演算制御回路２３０は、次の用紙Ｐ２が画像形成装置１００から排紙搬送路２０２に受け入れさせ（Ｓ６０２）、この次の用紙Ｐ２をシフト排紙ローラ対２０４により図２の排紙搬送路２０２から図５（Ｅ）のようにスティプルトレイ２１９上に排紙させる（Ｓ６０３）。
【００７３】
そして、演算制御回路２３０は、次の用紙Ｐ２の用紙後端がシフト排紙ローラ対２０４を通過したと判断したときに、叩きコロ２１１を図２の破線で示した位置に下降させ、用紙Ｐ２を先行する用紙Ｐと共に叩きコロ２１１でスティプルトレイ２１９に押し付ける（Ｓ６０４）。これにより、スティプルトレイ２１９に押し付けられた用紙Ｐ，Ｐ２は、図５（Ｆ）に示したように回転する叩きコロ２１１により矢印Ａｒ２で示したように用紙後端が基準フェンス２２０に突き当たるまでスイッチバックさせられる。
【００７４】
この後、演算制御回路２３０は、用紙Ｐ２について上述したＳ６０３〜６１１の用紙の整合処理の制御を実行する。この次用紙Ｐ２について用紙搬送方向の整合をする際に、整合を中断していた先行用紙（Ｐ）の用紙搬送方向の整合も実行させる（Ｓ６０８，Ｓ６０９）。
【００７５】
このような用紙Ｐの整合処理において、用紙（Ｐ又はＰ２）が最終紙である場合、用紙（Ｐ又はＰ２）について搬送方向の整合が完了した後（Ｓ６１２）、戻しコロを停止し（Ｓ６１３）、実施例１と同様にスティプルトレイ上の用紙束が綴じ処理される。
【００７６】
したがって、本実施例では、用紙束を一時積載トレイに積載する時間が短縮されるため、用紙後処理装置の生産性を向上することができる。
【実施例３】
【００７７】
図７は実施例３の用紙後処理装置の用紙受入れ・整合処理を示すフローチャートである。
【００７８】
この実施例３では、Ｓ７００〜Ｓ７１０において実施例１における図４のＳ５００〜Ｓ５１０の用紙整合処理と同様に、画像形成装置１００から排紙搬送路２０２に受入れた用紙をシフト排紙ローラ対２０４により排紙搬送路２０２から排紙させて一時積載トレイとしてのスティプルトレイ２１９上に積載し、用紙搬送方向・用紙幅方向の整合を行わせる（Ｓ７００〜Ｓ７１０）。このＳ７００〜Ｓ７１０は図４のＳ５００〜Ｓ５１０にそれぞれ対応している。
【００７９】
そして、演算制御回路２３０は、Ｓ７１１において次の用紙があるか否かを画像形成装置１００の画像形成処理状態又は画像処理指定枚数等から判断し（Ｓ７１１）、次の用紙がない場合戻しコロＲ１，Ｒ２の駆動を停止して（Ｓ７１３）、受け入れを終了する。
【００８０】
また、演算制御回路２３０は、Ｓ７１１において次の用紙があると判断した場合、次の用紙が画像形成装置１００から排紙搬送路２０２に受け入れられたか否かを入口センサ２０７の用紙先端検出信号から判断し（Ｓ７１２）、次の用紙が来ている場合、叩きコロ２１１を用紙と接触しない位置に退避させた後、Ｓ７０１に戻る。
【００８１】
そして、演算制御回路２３０は、ジョガーフェンス２１２ａを図５（Ｄ）の破線の位置から実線の位置まで固定フェンス２１２ｂから離反させて、画像形成装置１００から搬送されてきた次用紙を図２の入口ローラ対２０１により排紙搬送路２０２に受入れることができる。しかし、演算制御回路２３０は、実際には、サイドフェンスとしてのジョガーフェンス２１２ａを、図５（Ｄ）の実線のようにすぐには用紙受入れ位置に移動せず、図５（Ｅ）の状態で次の用紙Ｐ２が画像形成装置１００から排紙搬送路２０２に受け入れられてスティプルトレイ２１９に上に送られるまで待機させる。
【００８２】
この状態で、演算制御回路２３０は、次の用紙Ｐ２が画像形成装置１００から排紙搬送路２０２に受け入れさせ（Ｓ７０２）、この次の用紙Ｐ２をシフト排紙ローラ対２０４により図２の排紙搬送路２０２から図５（Ｅ）のようにスティプルトレイ２１９上に排紙させる（Ｓ７０３）。
【００８３】
そして、演算制御回路２３０は、次の用紙Ｐ２の用紙後端がシフト排紙ローラ対２０４を通過したと判断したときに、叩きコロ２１１を図２の破線で示した位置に下降させ、用紙Ｐ２を先行する用紙Ｐと共に叩きコロ２１１でスティプルトレイ２１９に押し付ける（Ｓ７０４）。これにより、スティプルトレイ２１９に押し付けられた用紙Ｐ，Ｐ２は、回転する叩きコロ２１１により矢印Ａｒ２で示したように用紙後端が基準フェンス２２０に突き当たるまでスイッチバックさせられる。この後、演算制御回路２３０は、Ｓ７０５〜Ｓ７１２を最終用紙がなくなるまで実行する。
【００８４】
したがって、実施例３では、用紙搬送方向の整合を終えた後もすぐにサイドフェンスであるジョガーフェンス２１２ａを退避位置まで移動せず、次用紙の受入れ直前までサイドフェンスであるジョガーフェンス２１２ａが用紙側端に当接した状態を維持するため、用紙幅方向の整合性を保つことができる。
【実施例４】
【００８５】
図８は、具体的な実施例４の用紙後処理装置の用紙受入れ・整合処理を示したフローチャートである。
【００８６】
この実施例４において演算制御回路２３０は、実施例３に示したＳ７００〜Ｓ７１０のように、画像形成装置から受入れた用紙を一時積載トレイとしてのスティプルトレイ２１９上に積載し、用紙搬送方向・用紙幅方向の整合を行う。この後、演算制御回路２３０は、実施例３に示したＳ７１１と同様に次用紙Ｐ２があるか否かを判断する（Ｓ８１１）。そして、演算制御回路２３０は、次用紙Ｐ２がないと判断した場合、用紙搬送方向の整合を行う回転部材としての戻しコロＲ１，Ｒ２の駆動を停止し（Ｓ８１６）、受け入れを終了する。
【００８７】
また、演算制御回路２３０は、次用紙Ｐ２があると判断した場合、次用紙Ｐ２が画像形成装置１００から排紙搬送路２０２に送られて来たか否かを入口センサ２０７の用紙先端検出信号の有無から判断する（Ｓ８１２）。
【００８８】
そして、演算制御回路２３０は、入口センサ２０７が次用紙の用紙先端部を検出しない場合、次用紙Ｐ２があると判断してから所定の時間が経過したか否かを判断する（Ｓ８１３）。
【００８９】
この判断において演算制御回路２３０は、次用紙Ｐ２があると判断してから所定の時間が過した場合、画像形成装置１００から排紙搬送路２０２に次用紙が送られてこないと判断し、用紙搬送方向の整合を行う回転部材としての戻しコロＲ１，Ｒ２の駆動を停止し（Ｓ８１４）、Ｓ８１２に戻る。
【００９０】
また、演算制御回路２３０は、Ｓ８１３の判断において次用紙Ｐ２があると判断してから所定の時間が経過していない場合には、Ｓ８１２に戻る。
【００９１】
演算制御回路２３０は、Ｓ８１２において入口センサ２０７が用紙先端を検出して用紙先端検出信号を出力している場合、次用紙Ｐ２があると判断して、戻しコロＲ１，Ｒ２の駆動が停止状態であれば駆動を再開して（Ｓ８１５）、次の用紙の受け入れ処理をするためにＳ８０１に戻り、実施例３の次の用紙Ｐ２の整合処理と同様な整合処理を実行させる。
【００９２】
この実施例４でも、実施例３と同様に先行する用紙Ｐの用紙搬送方向の整合を終えた後もすぐにサイドフェンスであるジョガーフェンス２１２ａを退避位置まで移動せず、次用紙の受入れ直前までサイドフェンスであるジョガーフェンス２１２ａが先行する用紙Ｐの側端に当接した状態を維持させる。このため、先行する紙Ｐおよび次の用紙Ｐ２等のスティプルトレイ２１９に積載される全用紙の用紙幅方向の整合性を保つことができる。
【００９３】
以上説明したようにこの発明の実施の形態の用紙整合装置Ｂは、搬送手段（排紙搬送装置Ａ）によって搬送された用紙（Ｐ，Ｐ２等）を整合するのに用いられる。この用紙整合装置Ｂは、用紙を一時的に積載して、用紙後端に当接して用紙搬送方向の整合を行うための基準フェンス２２０を備える一時積載トレイ（ステイプルトレイ２１９）と、前記一時積載トレイ（ステイプルトレイ２１９）にスタックされた用紙の、用紙搬送方向に平行な両側端に当接することで用紙幅方向の整合を行う、少なくとも一方は用紙幅方向に移動可能なサイドフェンス（ジョガーフェンス２１２ａ）を有する。また、用紙整合装置Ｂは、前記サイドフェンス（ジョガーフェンス２１２ａ）を前記一時積載トレイ（ステイプルトレイ２１９）に積載された用紙側端に当接させたときに、用紙の両側端から用紙に当接する少なくとも一対の回転部材（戻しコロＲ１，Ｒ２）と、前記回転部材（戻しコロＲ１，Ｒ２）を駆動させることが可能な駆動手段（第１，第2ローラ回転駆動装置ＲＭ１，ＲＭ２）を有する。更に、用紙整合装置Ｂは、用紙Ｐを受入れて、前記サイドフェンス（ジョガーフェンス２１２ａ）と前記駆動手段（第１，第2ローラ回転駆動装置ＲＭ１，ＲＭ２）を制御して用紙整合処理をする制御手段（演算制御回路２３０）を有する。
【００９４】
この構成によれば、一時積載トレイ（ステイプルトレイ２１９）に積載された全ての用紙Ｐ（Ｐ２等）について、用紙Ｐ（Ｐ２等）の傾きや放出方向へのズレをなくし、画像削れを発生させることなく用紙搬送方向の整合を行うことができる。
【００９５】
また、この発明の実施の形態の用紙整合装置Ｂにおける前記制御手段（演算制御回路２３０）は、前記一時積載トレイ（ステイプルトレイ２１９）上に搬送された用紙に前記回転部材（戻しコロＲ１，Ｒ２）による搬送方向の整合を行っている途中で、前記一時積載トレイ（ステイプルトレイ２１９）に次用紙（Ｐ２）が搬送されてきた場合、先行する用紙Ｐの搬送方向の整合を中断して、前記サイドフェンス（ジョガーフェンス２１２ａ）を用紙受入れ可能な位置に移動させるようになっている。この構成によれば、用紙束を一時積載トレイ（ステイプルトレイ２１９）に積載する時間が短縮され、生産性が向上する。
【００９６】
更に、この発明の実施の形態の用紙整合装置Ｂにおける前記制御手段（演算制御回路２３０）は、前記回転部材（戻しコロＲ１，Ｒ２）による用紙搬送方向の整合を終えた後も、次用紙（Ｐ２）の受入れ直前まで前記サイドフェンス（ジョガーフェンス２１２ａ）が用紙に当接した状態を維持させるようになっている。この構成によれば、用紙幅方向の整合状態が維持されるため、用紙の傾きを生じることがなく、整合性を保つことができる。
【００９７】
また、この発明の実施の形態の用紙整合装置Ｂにおける前記制御手段（演算制御回路230）は、前記回転部材（戻しコロＲ１，Ｒ２）による用紙搬送方向の整合を終えた後、次用紙（Ｐ２）の受入れまでの時間間隔が長くなった場合、前記駆動手段（第１，第2ローラ回転駆動装置ＲＭ１，ＲＭ２）を停止させるようになっている。この構成によれば、停止中に用紙Ｐ（Ｐ２等）の整合が乱れても、次用紙受入れ時に整合されるため、整合性を保ちながら消費電力を低減できる。
【００９８】
また、この発明の実施の形態の用紙整合装置Ｂにおいける前記回転部材（戻しコロＲ１，Ｒ２）は、少なくとも外周層は弾性素材（弾性ローラＥｓ１、Ｅｓ２）から形成されている。この構成によれば、回転部材としてゴムローラやスポンジコロ等の弾性素材を用いることにより、回転部材（弾性ローラＥｓ１、Ｅｓ２）を用紙に当接させたときに回転部材が弾性変形することで衝撃を緩和でき、用紙側端の損傷や、用紙のたわみによるズレを抑止できる。
【００９９】
また、この発明の実施の形態の用紙後処理装置２００は用紙整合装置Ｂを備えることで、印刷された画像の削れを発生させることなく用紙に後処理を施すことが可能な用紙後処理装置を構成できる。
【０１００】
また、この発明の実施の形態の像形成システムは用紙整合装置Ｂを備えることで、印刷された画像の削れを発生させることなく用紙に後処理を施すことが可能な画像形成システムを構成できる。
【符号の説明】
【０１０１】
２１９・・・ステイプルトレイ（一時積載トレイ）
２２０・・・基準フェンス
２１２ａ・・・ジョガーフェンス
２１２・・・固定フェンス（サイドフェンス）
２３０・・・演算制御回路（制御手段）
Ａ・・・排紙搬送装置（搬送手段）
Ｂ・・・用紙整合装置
Ｐ，Ｐ２・・・用紙
Ｒ１，Ｒ２・・・戻しコロ（回転部材）
ＲＭ１・・・第１ローラ回転駆動装置（駆動手段）
ＲＭ２・・・第２ローラ回転駆動装置（駆動手段）
Ｅｓ１、Ｅｓ２・・・弾性ローラ（弾性素材）
【先行技術文献】
【特許文献】
【０１０２】
【特許文献１】特開２００５−１９４０９２号公報
【図１】
0005754175.tif 000002
【図１Ａ】
0005754175.tif 000003
【図２】
0005754175.tif 000004
【図２Ａ】
0005754175.tif 000005
【図２Ｂ】
0005754175.tif 000006
【図２Ｃ】
0005754175.tif 000007
【図３】
0005754175.tif 000008
【図４】
0005754175.tif 000009
【図５】
0005754175.tif 000010
【図６】
0005754175.tif 000011
【図７】
0005754175.tif 000012
【図８】
0005754175.tif 000013